(57)【要約】【課題】入力する情報を第３者に見られないようにする。【解決手段】画像を表示する表示パネルと、表示パネルの表示画像を映す反射ミラーと、反射ミラーに重ねられたタッチパネルと、反射ミラーに映し出される表示パネルの画像を観察する利用者の視点位置を特定する視点特定手段とを備えた入力装置。【選択図】図７
2008175961.tif 000002
【特許請求の範囲】
【請求項１】
画像を表示する表示パネルと、表示パネルの表示画像を映す反射ミラーと、反射ミラーに重ねられたタッチパネルと、反射ミラーに映し出された表示パネルの画像を観察する利用者の視点位置を特定する視点特定手段とを備えた入力装置。
【請求項２】
視点特定手段は、表示パネル上に描かれた第１図形と、反射ミラーに描かれた第２図形からなる請求項１記載の入力装置。
【請求項３】
表示パネルに重ねて設けられた第２タッチパネルをさらに備える請求項１記載の入力装置。
【請求項４】
表示パネルは第１方向と、第１方向と異なる第２方向にそれぞれ異なる第１および第２画像を表示するデュアルビュー表示パネルからなり、反射ミラーは第２画像を映すように設けられた請求項１記載の入力装置。
【請求項５】
画像を表示する表示パネルと、表面に入射する光を裏面へ透過させるとともに反射するハーフミラーの表面と裏面にそれぞれ第１および第２タッチパネルを備えたタッチパネル部と、表示パネルの画像が第１タッチパネル，ハーフミラーおよび第２タッチパネルの順に透過して観察者に観察される第１位置と、表示パネルの画像が第１タッチパネルを介してハーフミラーに反射して観察者に観察される第２位置との間を移動可能にタッチパネル部を支持する支持部材とを備える入力装置。
【請求項６】
タッチパネル部が第１および第２位置の少なくとも一方に存在することを検出する検知部をさらに備える請求項５記載の入力装置。
【請求項７】
請求項１〜６のいずれか１つに記載の入力装置を備えた画像処理装置。
【発明の詳細な説明】
【技術分野】
【０００１】
この発明は、入力装置に関し、とくに、情報処理装置（ＡＴＭ，パソコン，プリンタ，コピー機，ファクシミリなど）用の入力装置に関する。
【背景技術】
【０００２】
従来のこのような装置では、視野角の広狭を制御可能な表示部を備え、ユーザを認証するためのデータの入力中は、前記表示部の視野角を狭くするように制御するための制御手段を備えた情報処理装置が知られている（例えば、特許文献１参照）。
【特許文献１】特開２００１−３４４０５０号公報
【発明の開示】
【発明が解決しようとする課題】
【０００３】
しかしながら、ＡＴＭのような公共の装置の入力操作をしている場合、ユーザの背後から他人によって覗き見される場合があり、ユーザの利便性を考えると視野角を狭めるには限界がある。
この発明は、ユーザの視点を特定することで覗き見を防止すると共に、ユーザの視点の特定が容易に実行できる入力装置を提供するものである。
【課題を解決するための手段】
【０００４】
この発明は、画像を表示する表示パネルと、表示パネルの表示画像を映す反射ミラーと、反射ミラーに重ねられたタッチパネルと、反射ミラーに映し出された表示パネルの画像を観察する利用者の視点位置を特定する視点特定手段とを備えた入力装置を提供するものである。
【発明の効果】
【０００５】
この発明によれば、利用者は、視点位置特定手段によって特定された視点位置からタッチパネルと反射ミラーを介して表示パネルの画像を観察し、反射ミラーに正しく映し出された表示パネルの画像に基づいてタッチパネルを操作する。特定された視点位置でない位置からミラーに映った表示パネルの画像を見る第３者には、表示パネルの画像が正しく映し出されないため、第３者は利用者のタッチパネル操作を観察してもタッチパネルの操作を正しく把握できない。
【発明を実施するための最良の形態】
【０００６】
この発明による入力装置は、画像を表示する表示パネルと、表示パネルの表示画像を映す反射ミラーと、反射ミラーに重ねられたタッチパネルと、反射ミラーに映し出された表示パネルの画像を観察する利用者の視点位置を特定する視点特定手段とを備えることを特徴とする。
ここで、視点特定手段とは、正しい視点から表示パネルと反射ミラーとを見ているか否かを利用者が確認するための手段である。これは、例えば、表示パネル上に描かれた（又は表示された）第１図形と、反射ミラー上に描かれた（又は付設された）第２図形とを設け、利用者から見て両図形が互いに重なり合うとか、互いに特定の位置関係にあるときに、利用者に自らの視点が正しい位置にあることを認識させるものである。
表示パネルに重ねて設けられた第２タッチパネルをさらに備えてもよい。
表示パネルが、第１方向と、第１方向と異なる第２方向にそれぞれ異なる第１および第２画像を表示するデュアルビュー表示パネルからなり、反射ミラーが第２画像を映すように設けられてもよい。
【０００７】
他の観点によれば、この発明は、画像を表示する表示パネルと、表面に入射する光を裏面へ透過させるとともに反射するハーフミラーの表面と裏面にそれぞれ第１および第２タッチパネルを備えたタッチパネル部と、表示パネルの画像が第１タッチパネル，ハーフミラーおよび第２タッチパネルの順に透過して観察者に観察される第１位置と、表示パネルの画像が第１タッチパネルを介してハーフミラーに反射して観察者に観察される第２位置との間を移動可能にタッチパネル部を支持する支持部材とを備える入力装置を提供するものである。
タッチパネル部が第１および第２位置の少なくとも一方に存在することを検出する検知部をさらに備えてもよい。
さらに他の観点によれば、この発明は、上記いずれかの入力装置を備えた画像処理装置を提供するものである。
【０００８】
以下、図面に示す第１〜第３実施例を用いて発明の実施形態を説明する。これによってこの発明が限定されるものではない。
第１実施例
図１はこの発明の第１実施例を示す斜視図である。
【０００９】
図１に示すように、多機能型プリンタ（ＭＦＰ）１は、ＣＣＤ等にて原稿の画像を読み取って画像信号を出力する画像読取装置（スキャナ）２と、画像読取装置２から送信される画像信号または外部から送信される画像信号に基づいて用紙上に画像を印刷する電子写真方式のプリンタ３と、プリンタ３に順次用紙を供給する給紙デスク装置４とを備える。
【００１０】
そして、画像読取装置２における原稿台２ａの側部に、操作パネル５が備えられている。この操作パネル５は、各種画像を表示する表示手段としての機能を有すると共に、ＭＦＰ１を操作するための各種操作用コマンドを入力する入力手段としての機能を有するものである。以下、操作パネル５について詳細に説明する。
【００１１】
まず、操作パネル５の外観構成から説明する。操作パネル５は、図２に示すように、ハードキー群１０とタッチスクリーン３１と開閉パネル３０とを備えている。
ハードキー群１０は、スタートボタン２０，テンキー２１，クリアキー２２，および動作モードキー群２４を備えている。
【００１２】
スタートキー２０は、ＭＦＰ１に現在設定されている動作モードに応じた処理を実行させるためのコマンドを入力するためのキーである。テンキー２１は、開閉パネル３０に表示されるコピー枚数などの数の設定（数の入力）を行うためのキーである。クリアキー２２は、テンキー２１で設定した数をゼロにしたり、直前の入力値を取消したりするためのキーである。
【００１３】
動作モードキー群２４は、プリンタモードキー２５，ファックスモードキー２６，コピーモードキー２７からなっている。
プリンタモードキー２５は、ＭＦＰ１の動作モードをプリンタモードに設定するためのキーである。プリンタモードとは、図示しない端末装置から送信されてくる画像信号やＦＡＸ送信されてくる画像信号に基づいてプリンタ３に印刷を実行させるモードを意味する。
【００１４】
ファックスモードキー２６は、ＭＦＰ１の動作モードをファックスモードに設定するためのキーである。ファックスモードとは、画像読取装置２に原稿の画像を読み取らせ、読み取らせた原稿の画像を外部へ送信するモードを意味する。
【００１５】
コピーモードキー２７は、ＭＦＰ１の動作モードをコピーモードに設定するためのキーである。コピーモードとは、画像読取装置２に原稿の画像を読み取らせ、プリンタ３に画像を用紙上に印刷（複写）させるモードを意味する。
【００１６】
つぎに、開閉パネル３０について説明する。開閉パネル３０は、ＭＦＰ１における各種コマンドの入力を促す各種画像を表示するものであって、利用者がこの開閉パネル３０にタッチすることによって上記各種コマンドの入力が行われる。
【００１７】
この開閉パネル３０は、図３に示すように、液晶表示パネル３０ａ上にタッチパネル３０ｂを覆って構成されるものである。
タッチパネル３０ｂは、利用者がタッチすると表面電荷を変化させる透明素材からなる静電容量結合型のタッチパネルである。
この開閉パネル３０は、タッチスクリーン３１のカバー部材である。図２，図３に示すように、この開閉パネル３０の一辺には蝶番３３が形成されており、この蝶番３３は、操作パネル５においてタッチスクリーン３１の近傍に取り付けられている。
【００１８】
そして、開閉パネル３０は蝶番３３は回転軸として回動自在に構成されている。さらに、利用者が開閉パネル３０を回動させることによって、開閉パネル３０がタッチスクリーン３１を被う閉状態と、タッチスクリーン３１が外部に露出される開状態（図１〜図３に示される状態）とを切り換えることができる。
【００１９】
さらに、タッチスクリーン３１には、図３に示すように、ミラー３２が形成されている。また、ミラー３２は、タッチパネル３４に覆われている。このタッチパネル３４は、タッチパネル３０ｂと同様、利用者がタッチすると表面電荷を変化させる透明素材からなる静電容量結合型のタッチパネルである。
【００２０】
図４は、ＭＦＰ１の制御回路を示すブロック図である。
図４に示すように、ＭＦＰ１は、ハードキー群１０，液晶表示パネル３０ａとタッチパネル３０ｂとからなる開閉パネル３０，ミラー３２，ミラー３２を覆うタッチパネル３４の他、タッチ位置検出回路６０，表示制御部５０，および画像読取装置２，プリンタ３，給紙デスク装置４を制御する主制御部１００を備える。
【００２１】
タッチ位置検出回路６０は、タッチパネル３０ｂの表面電荷の変化を検出することによって、タッチパネル３０ｂ上の利用者のタッチ位置を示す座標値を算出し、この算出した座標値を表示制御部５０に入力する回路である。また、タッチ位置検出回路６０は、タッチパネル３４の表面電荷の変化を検出することによって、タッチパネル３４上の利用者のタッチ位置（つまりミラー３２上の利用者のタッチ位置）を示す座標値を算出し、この算出した座標値を表示制御部５０に入力する。
【００２２】
表示制御部５０は、液晶表示パネル３０ａの表示動作、つまりタッチスクリーン３０の表示動作を制御するコンピュータであり、ＣＰＵ，ＲＡＭ，ＲＯＭ等から構成される。
また、主制御部１００は、ＣＰＵ，ＲＯＭ，ＲＡＭからなるマイクロコンピュータであり、ハードキー群１０と表示制御部５０からの出力をうけて、画像読取装置２，プリンタ３および給紙デスク装置４の制御を行う。
【００２３】
次に、操作パネル５の操作を説明する。操作パネル５において、液晶表示パネル３０ａ（図３）には、通常入力用画面（画像倍率モード設定入力，画像濃度モード設定入力，用紙サイズモード設定入力などの画面）と、特定情報入力用画面が表示される。
利用者は図５に示すように視点Ｐから液晶表示パネル３０ａを見て、通常入力画面のいずれかの設定入力画面をタッチパネル３０ｂを介して選択すると、設定された入力画面においてさらに数値設定するための下位画面が液晶表示パネル３０ａに表示される。利用者は視点Ｐから液晶表示パネル３０ａの下位画面を見てタッチパネル３０ｂを介して所望の数値設定を行う。
【００２４】
次に、利用者は図５の視点Ｐから液晶表示パネル３０ａを見て、特定情報入力画面をタッチパネル３０ｂを介して選択すると、特定情報（例えば利用者識別番号）を入力するための下位画面（テンキー）が液晶表示パネル３０ａに表示される。利用者は図６の視点Ｐからミラー３２に映る液晶表示パネル３０ａの下位画面（テンキー）を見てタッチパネル３４を介して数値情報を入力する。
【００２５】
図７と図８は、液晶表示パネル３０ａに表示された特定情報入力用下位画面（テンキー）４５と、ミラー３２に映った下位画面（テンキー）４５ａとを、それぞれ異なる視点から見た図である。
予め液晶表示パネル３０ａとミラー３２には、視点特定手段として実線の鉤形図形の４１，４２と、破線の鉤形図形４３，４４とがそれぞれ描かれている。正しい視点Ｐから見ると、図７のようにミラー３２に映った実線の鉤形図形４１ａ，４２ａと破線の鉤形図形４３，４４とが互いに重なり合い、テンキー４５は正しくミラー３２にテンキー４５ａとして映し出される。しかしながら、視点Ｐと異なる第３者の視点から見ると図８のようにミラー３２に映った実線の鉤形図形４１ａ，４２ａと、破線の鉤形図形４３，４４とが重なり合わず、テンキー４５は正しくミラー３２に映し出されない。
従って、利用者がミラー３２に映るテンキー４５ａに基づいてタッチパネル３４を介して数値情報（識別番号）を入力するとき、第３者はその数値を盗み見ることはできない。
【００２６】
このような構成におけるＭＦＰ１の主な動作を図９に示すフローチャートを用いて説明する。
まず、ステップＳ１において、通常入力用画面が液晶表示パネル３０ａに表示される。そして、モード設定（画像倍率モード，画像濃度モード，用紙サイズモードなどの設定）が行われ（ステップＳ２）モードの変更が行われ（ステップＳ３）、スタートボタン２０が押される（ステップＳ４）。次に、特定情報としての利用者識別番号が入力済みか否かが判定され（ステップＳ５）、否であると、特定情報の入力を促す特定情報入力画面が液晶表示パネル３０ａに表示される（ステップＳ６）。
利用者がタッチパネル３０ｂを操作し特定情報入力モードになると（ステップＳ８）、特定情報入力用下位画面としてテンキー４５が図７に示すように液晶表示パネル３０ａに表示される（ステップＳ９）。
【００２７】
利用者は図７に示すようにミラー３２上の実線の鉤形図形４１ａ，４２ａが破線の鉤形図形４３，４４に重なり合う視点Ｐ（図５，図６）を探す。視点Ｐから見てミラー３２に映し出されるテンキー４５ａに基づいてタッチパネル３４を操作して数値情報（利用者の識別番号）を入力設定する（ステップＳ１０）。数値情報が設定されると（ステップＳ１１）、ルーチンはステップＳ１へ戻る。なお、ステップＳ５において、特定情報が入力済みである場合には、動作モードキー群２４（図２）によって設定された処理が実行される（ステップＳ７）。また、ステップＳ１０において、特定情報を入力しない場合にはテンキー４５ａのキャンセルキー「ＣＬ」（図７）に基づいてタッチパネル３４を操作すれば、特定情報入力モードはキャンセルされて、ルーチンはステップＳ１へ戻る。
【００２８】
第２実施例
図１０，図１１は第２実施例を示す図５，図６対応図である。この実施例では、第１実施例の液晶表示パネル３０ａがデュアルビュー方式の液晶表示パネル３０ｃに置換されている。なお、その他の構成は第１実施例と同等である。
デュアルビュー方式とは、図１０に示すように液晶表示パネル３０ｃから第１方向（矢印Ａ方向）に向けて第１画像を表示する第１画面と、液晶表示パネル３０ｃから第１方向とは異なる第２方向（矢印Ｂ方向）に向けて第１画像とは異なる第２画像を表示する第２画面とを同時に備える方式を意味する。
第２実施例では、液晶表示パネル３０ｃは、通常入力用画面とその下位下面を第１画面に表示すると同時に、特定情報入力用画面とその下位画面（テンキー）を第２画面に表示する。
【００２９】
利用者は図１０に示すように視点Ｐから液晶表示パネル３０ｃを見て、通常入力画面のいずれかの画面をタッチパネル３０ｂを介して選択すると、選択された入力画面において数値設定するための下位画面が液晶表示パネル３０ａに表示される。利用者は視点Ｐから液晶表示パネル３０ａの下位画面を見てタッチパネル３０ｂを介して所望の数値設定を行う。
【００３０】
また、利用者は図１１の視点Ｐからミラー３２に映る液晶表示パネル３０ｃの第２画面を見て、特定情報入力画面をタッチパネル３４を介して選択すると、数値情報（例えば利用者識別番号）を入力するための下位画面（テンキー）が液晶表示パネル３０ｃの第２画面に表示される。利用者は図１１の視点Ｐからミラー３２に映る液晶表示パネル３０ｃの下位画面（テンキー）を見てタッチパネル３４を介して数値情報を入力する。
【００３１】
この場合も、第１実施例と同様に、利用者が正しい視点Ｐ（図１１）から見るとテンキーは図７に示すようにミラー３２上に映されるが、異なる第３者の視点から見ると図８に示すようにミラー３２上に正しく映されない。従って、利用者が入力する特定情報を第３者が盗み見ることはできない。
【００３２】
このような第２実施例における動作を図１２に示すフローチャートを用いて説明する。
まず、ステップＳ２１において、通常入力用画面が液晶表示パネル３０ｃの第１画面に表示される。そして、モード設定（画像倍率モード，画像濃度モード，用紙サイズモードなどの設定）が行われ（ステップＳ２２）、モードの変更が行われ（ステップＳ２３）、スタートボタン２０が押される（ステップＳ２４）。次に、特定情報としての利用者識別番号が入力済みか否かが判定され（ステップＳ２５）、否であると、特定情報の入力を促す特定情報入力画面が液晶表示パネル３０ｃの第２画面に表示される（ステップＳ２６）。
利用者がタッチパネル３０ｂを操作し特定情報入力モードになると（ステップＳ２８）、特定情報入力用下位画面としてテンキー４５が図７に示すように液晶表示パネル３０ｃの第２画面に表示される（ステップＳ２９）。
【００３３】
利用者は図７に示すようにミラー３２上の実線の鉤形図形４１ａ，４２ａが破線の鉤形図形４３，４４に重なり合う視点Ｐ（図５，図６）を探す。視点Ｐから見てミラー３２に映し出されるテンキー４５ａに基づいてタッチパネル３４を操作して数値情報（利用者の識別番号）を入力設定する（ステップＳ３０）。数値情報が設定されると（ステップＳ３１）、第２画面が消去され（ステップＳ３３）、ルーチンはステップＳ２１へ戻る。なお、ステップＳ２５において、特定情報が入力済みである場合には、動作モードキー群２４（図２）によって設定された処理が実行される。また、ステップＳ３０において、特定情報を入力しない場合にはテンキー４５ａのキャンセルキー「ＣＬ」（図７）に基づいてタッチパネル３４を操作すれば、特定情報入力モードはキャンセルされて、ルーチンはステップＳ３３を介してステップＳ２１へ戻る。
【００３４】
第３実施例
図１３と図１４は、第３実施例を示す図５，図６対応図である。
この実施例では、図１３に示すように、ハーフミラー（半透過ミラー）３５が矢印ＡおよびＢ方向に回動可能にその一辺が蝶番３３ａで支持されている。ハーフミラー３５の両面にはそれぞれタッチパネル３４，３０ｂが貼り付けられている。ハーフミラー３５は図１３のように液晶表示パネル３０ａに接触する第１姿勢と、図１４のように水平状態にある第２姿勢をとることができ、第２姿勢にあるか否かを検出する検出器３６が備えられている。ハーフミラー３５は表面（タッチパネル３４側の面）に入射する光を裏面へ透過させるとともに反射するようになっている。その他の構成は第１実施例と同様である。
液晶表示パネル３０ａには、第１実施例と同様に通常入力用画面および特定情報入力用画面が表示される。
【００３５】
利用者は図１３に示すように視点Ｐからハーフミラー３５を介して液晶表示パネル３０ａを見て、通常入力画面のいずれかの画面をタッチパネル３０ｂを介して選択すると、選択された入力画面において数値設定するための下位画面が液晶表示パネル３０ａに表示される。利用者は視点Ｐから液晶表示パネル３０ａの下位画面を見てタッチパネル３０ｂを介して所望の数値設定を行う。
【００３６】
次に、利用者は図１３の視点Ｐから液晶表示パネル３０ａを見て、特定情報入力画面をタッチパネル３０ｂを介して選択すると、特定情報（例えば利用者識別番号）を入力するための下位画面（テンキー）が液晶表示パネル３０ａに表示される。利用者は図１４の視点Ｐからハーフミラー３５に映る液晶表示パネル３０ａの下位画面（テンキー）を見てタッチパネル３４を介して数値情報を入力する。
この実施例においても第１，第２実施例と同様に特定情報入力時の第３者による盗み見を防止することができる。
【図面の簡単な説明】
【００３７】
【図１】この発明の第１実施例の多機能型プリンタを示す斜視図である。
【図２】図１に示す多機能型プリンタの要部上面図である。
【図３】図１に示す多機能型プリンタの要部斜視図である。
【図４】図１に示す多機能型プリンタの制御回路のブロック図である。
【図５】図１に示す多機能型プリンタの要部構成説明図である。
【図６】図１に示す多機能型プリンタの要部構成説明図である。
【図７】図１に示す多機能型プリンタの要部構成説明図である。
【図８】図１に示す多機能型プリンタの要部構成説明図である。
【図９】図１に示す多機能型プリンタの動作を示すフローチャートである。
【図１０】この発明の第２実施例の図５対応図である。
【図１１】この発明の第２実施例の図６対応図である。
【図１２】この発明の第２実施例の図９対応図である。
【図１３】この発明の第３実施例の図５対応図である。
【図１４】この発明の第３実施例の図６対応図である。
【符号の説明】
【００３８】
１    多機能型プリンタ（ＭＦＰ）
２    画像読取装置
２ａ  原稿台
３    プリンタ
４    給紙デスク装置
５    操作パネル
１０    ハードキー群
２０    スタートボタン
２１    テンキー
２２    クリアキー
２４    動作モードキー群
２５    プリンタモードキー
２６    ファックスモードキー
２７    コピーモードキー
３０    開閉パネル
３０ａ  液晶表示パネル
３０ｂ  タッチパネル
３０ｃ  デュアルビュー方式液晶表示パネル
３１    タッチスクリーン
３２    ミラー
３３    蝶番
３３ａ  蝶番
３４    タッチパネル
３６    検出器
４１    実線鉤形図形
４１ａ  実線鉤形図形
４２    実線鉤形図形
４２ａ  実線鉤形図形
４３    破線鉤形図形
４４    破線鉤形図形
４５    テンキー
４５ａ  テンキー
５０    表示制御部
６０    タッチ位置検出回路
１００    主制御部
【図１】
2008175961.tif 000003
【図２】
2008175961.tif 000004
【図３】
2008175961.tif 000005
【図４】
2008175961.tif 000006
【図５】
2008175961.tif 000007
【図６】
2008175961.tif 000008
【図７】
2008175961.tif 000009
【図８】
2008175961.tif 000010
【図９】
2008175961.tif 000011
【図１０】
2008175961.tif 000012
【図１１】
2008175961.tif 000013
【図１２】
2008175961.tif 000014
【図１３】
2008175961.tif 000015
【図１４】
2008175961.tif 000016